(57)【要約】【課題】  複数の人が容易に接近して腰掛けることができ、低床部の周囲を移動する場合にもスムーズに移動することができ、デザイン的にも優れた床構造、及び、この床構造を備えた住宅構成要素の配置構造、住宅、及び住宅展示物を提供する。【解決手段】床構造は、標準床部と、当該標準床部に囲まれており、前記標準床部よりも低い低床部とを有する床構造であって、低床部の周縁部は、平面視したときに角がない形状に形成される。また、床構造は、低床部の周縁部は、一部が平面視略円弧状に形成されるとともに、他の部分が当該円弧を含む円の外側に膨出する。また、床構造は、人が出入りするための出入り部を有する居室に設けられる床構造であって、前記出入り部は前記標準床部に接続されるとともに、前記低床部の周縁は、平面視したときに、前記出入り部に近接する部分が当該低床部の内側に窪んだ形状に形成される。【選択図】図５
2014062420.tif 000002
【特許請求の範囲】
【請求項１】
標準床部と、当該標準床部に囲まれており、前記標準床部よりも低い低床部とを有する床構造であって、
前記低床部の周縁部は、平面視したときに角がない形状に形成されることを特徴とする床構造。
【請求項２】
前記低床部の周縁部は、一部が平面視略円弧状に形成されるとともに、他の部分が当該円弧を含む円の外側に膨出することを特徴とする請求項１に記載の床構造。
【請求項３】
人が出入りするための出入り部を有する居室に設けられる床構造であって、
前記出入り部は前記標準床部に接続されるとともに、前記低床部を平面視したときに、当該低床部の周縁部は、前記出入り部に近接する部分が当該低床部の内側に窪んだ形状に形成されることを特徴とする請求項１又は請求項２に記載の床構造。
【請求項４】
請求項３に記載の床構造を有する住宅構成要素の配置構造であって、
前記出入り部は、上階から前記居室が設置された下階に接続する直線階段であることを特徴とする住宅構成要素の配置構造。
【請求項５】
前記低床部の前記直線階段側と反対側に、少なくともワークトップの一部が前記直線階段側に向いている対面式キッチンが設けられることを特徴とする請求項４に記載の住宅構成要素の配置構造。
【請求項６】
前記居室は上部に吹き抜け空間が形成されており、
少なくとも上階に前記居室を見下ろす見下ろし部が設けられることを特徴とする請求項４又は請求項５に記載の住宅構成要素の配置構造。
【請求項７】
前記見下ろし部は、前記吹き抜け空間との間に設けられる所定高さの壁体を備えるものであり、
当該壁体は、高さの異なる複数の貫通孔を有することを特徴とする請求項６に記載の住宅構成要素の配置構造。
【請求項８】
請求項１から請求項３のいずれかに記載の床構造又は請求項４から請求項７のいずれかに記載の住宅構成要素の配置構造を備えたことを特徴とする住宅。
【請求項９】
請求項１から請求項３のいずれかに記載の床構造又は請求項４から請求項７のいずれかに記載の住宅構成要素の配置構造を備えたことを特徴とする住宅展示物。
【発明の詳細な説明】
【技術分野】
【０００１】
本発明は、床構造、住宅構成要素の配置構造、住宅、及び住宅展示物に関し、特に、一部に他の部分よりも低い低床部を有する床構造、当該床構造を備えた住宅構成要素の配置構造、住宅、及び住宅展示物に関する。
【背景技術】
【０００２】
従来より、主にリビングの床の一部を平面視矩形に窪ませて低床部を形成したピットリビングが知られている。このピットリビングは、他の部分よりも床面が低くなっていることによって、自然と人が集まり易く、溜まり場のような安心感を醸成することができる。また、ピットリビングは、床で横になったり、周縁に腰掛けたり、好きな姿勢でくつろぐことができる（例えば、特許文献１）。
【先行技術文献】
【特許文献】
【０００３】
【特許文献１】特許第４９３０２８０号公報
【発明の概要】
【発明が解決しようとする課題】
【０００４】
しかし、上述のようなピットリビングは、低床部が矩形に形成されることにより周縁に角が形成されるので、角の部分では隣に接近して腰掛けることが難しい。また、ピットリビングの低床部の周囲を移動する場合などに、角があることでスムーズな移動をしにくい。また、ピットリビングの外側からピットリビングを見たときに、低床部の周縁が直線で形成されているので、視覚上の変化が少なく、デザイン上の面白味に欠ける。
【０００５】
そこで、本発明は、複数の人が容易に接近して腰掛けることができ、低床部の周囲を移動する場合にもスムーズに移動することができ、デザイン的にも優れた床構造、及び、この床構造を備えた住宅構成要素の配置構造、住宅、及び住宅展示物を提供することを目的とする。
【課題を解決するための手段】
【０００６】
請求項１に記載の床構造は、標準床部と、当該標準床部に囲まれており、前記標準床部よりも低い低床部とを有する床構造であって、前記低床部の周縁部は、平面視したときに角がない形状に形成されることを特徴としている。
【０００７】
請求項２に記載の床構造は、前記低床部の周縁部は、一部が平面視略円弧状に形成されるとともに、他の部分が当該円弧を含む円の外側に膨出することを特徴としている。
【０００８】
請求項３に記載の床構造は、人が出入りするための出入り部を有する居室に設けられる床構造であって、前記出入り部は前記標準床部に接続されるとともに、前記低床部の周縁は、平面視したときに、前記出入り部に近接する部分が当該低床部の内側に窪んだ形状に形成されることを特徴としている。
【０００９】
請求項４に記載の住宅構成要素の配置構造は、請求項３に記載の床構造を有する住宅の構成要素の配置構造であって、前記出入り部は、上階から前記居室が設置された下階に接続する直線階段であることを特徴としている。
【００１０】
請求項５に記載の住宅構成要素の配置構造は、前記低床部の前記直線階段側と反対側に、少なくともワークトップの一部が前記直線階段側に向いている対面式キッチンが設けられることを特徴としている。
【００１１】
請求項６に記載の住宅構成要素の配置構造は、前記居室は上部に吹き抜け空間が形成されており、少なくとも上階に前記居室を見下ろす見下ろし部が設けられることを特徴としている。
【００１２】
請求項７に記載の住宅構成要素の配置構造は、前記見下ろし部は、前記吹き抜け空間との間に設けられる所定高さの壁体を備えるものであり、当該壁体は、高さの異なる複数の貫通孔を有することを特徴としている。
【００１３】
請求項８に記載の住宅は、請求項１から請求項３のいずれかに記載の床構造又は請求項４から請求項７のいずれかに記載の住宅構成要素の配置構造を備えたことを特徴としている。
【００１４】
請求項９に記載の住宅展示物は、請求項１から請求項３のいずれかに記載の床構造又は請求項４から請求項７のいずれかに記載の住宅構成要素の配置構造を備えたことを特徴としている。
【発明の効果】
【００１５】
請求項１に記載の床構造によると、低床部の周縁部に角がないので、複数の人が容易に接近して腰掛けることができる。また、低床部の周囲を移動する場合にもスムーズに移動することができる。また、単なる矩形ではないデザイン的にも優れた床構造とすることができる。
【００１６】
請求項２に記載の床構造によると、低床部の周縁部の一部が平面視略円弧状に形成され、他の部分が当該円弧を含む円の外側に膨出しているので、例えば円弧状に形成される周縁部を腰掛ける用途で使用するとともに、当該円弧形状に合致する円形のテーブルを設置して、飲食や書き物などの作業に利用するとともに、当該円弧を含む円の外側に膨出している部分を例えば子供が遊ぶスペースとして利用するなど、一つの低床部を同時に多用途で使用しやすい。
【００１７】
請求項３に記載の床構造によると、人が出入りするための出入り部が標準床部に接続されており、低床部の周縁は、平面視したときに、出入り部に近接する部分が低床部の内側に窪んだ形状に形成されるので、人の通行が多い居室の出入り口の近傍に、標準床部のスペースが形成されており、比較的安全で、出入り口近傍が混み合うことを防ぐことができる。
【００１８】
請求項４に記載の住宅構成要素の配置構造によると、出入り部は、上階から居室が設置された下階に接続する直線階段であるので、階段直下が標準床部となることで安全性を確保しつつ、階段の様々な高さから居室に設けられた低床部を見下ろすことができ、居室及び低床部の見え方を様々に変化させることができる。
【００１９】
請求項５に記載の住宅構成要素の配置構造によると、ワークトップの一部が直線階段側に向いている対面式キッチンが設けられているので、キッチンで作業をしながらも低床部を視認することができ、例えば低床部にいる子供を見守りながら、料理をすることができる。
【００２０】
請求項６に記載の住宅構成要素の配置構造によると、上階に居室を見下ろす見下ろし部が設けられるので、高い視線からも居室の低床部を視認することができ、居室及び低床部の見え方を様々に変化させることができる。このように階段、見下ろし部、対面式キッチン等の異なる高さ居住空間を居室の周囲に配置し、異なる高さであって異なる方角から居室及び低床部を視認できるように構成することで、居室及び低床部を中心として、各居住空間をつながりのある空間とすることができる。また、低床部の形状は、角がなく、円弧を含みつつ一部が円の外側に膨出する比較的複雑な形状であるので、見る高さや方角を変えたときに変化の有る印象とすることができる。
【００２１】
請求項７に記載の住宅構成要素の配置構造によると、見下ろし部の壁体に高さの異なる複数の貫通孔が設けられているので、複数の貫通孔を通してそれぞれ高さの異なる位置からの居室及び低床部を視認することができる。
【００２２】
請求項８に記載の住宅によると、上述の請求項１から請求項７のいずれかの効果を有する床構造又は住宅構成要素の配置構造を有する住宅とすることができる。
【００２３】
請求項９に記載の住宅展示物によると、上述の請求項１から請求項７のいずれかの効果を有する住宅展示物とすることができる。
【図面の簡単な説明】
【００２４】
【図１】床構造の低床部を平面視した図。
【図２】低床部の円形領域に円形のテーブルを配置した状態を示す図。
【図３】住宅構成要素の配置構造を含む住宅の１階部分の間取り図。
【図４】住宅構成要素の配置構造を含む住宅の２階部分の間取り図。
【図５】居室の周りに各住宅構成要素を配置した状態を説明する図。
【図６】直線階段の形状を説明する図。
【発明を実施するための形態】
【００２５】
以下、各図を参照しつつ、本発明の床構造１、住宅構成要素の配置構造２、住宅、及び住宅展示物の最良の実施形態について説明する。まず、図１及び図２を参照しつつ、床構造１について説明する。床構造１は居室３の床に設けられるものであって、標準床部４と、当該標準床部４よりも低い低床部５とを有している。居室３は、本実施形態においては、１階に設けられるリビングである。なお、本発明における「居室」は１階に限定されるものではなく２階以上に設けられても良い。
【００２６】
標準床部４は、例えば基本的な生活動線が形成される床の高さと同じ高さに形成されている。なお、標準床部４の高さはこれに限定されるものではなく、低床部５よりも床面が高いものであればよい。例えば、床面構成が特殊な住宅や住宅展示施設などに設置する場合は、生活動線が形成される床の高さと異なるものであってもよい。
【００２７】
低床部５は、標準床部４よりも床面の高さが例えば１８０ｍｍ低く形成されている。したがって、標準床部４と低床部５との境界、すなわち低床部５の周縁部６には１８０ｍｍの段差が生じている。また、低床部５の周縁部６は平面視したときに角がない形状に形成されている。すなわち、低床部５の周縁部６は平面視したときに曲線のみ又は曲線と直線との組合せで形成されており、全体として滑らかで、角張ったところや尖ったところのない形状である。
【００２８】
そして、低床部５の周縁部６は、一部が平面視略円弧状の円弧部分７が形成されており、他の部分が当該円弧部分７を外周に含む円の外側に膨出して形成されている。なお、低床部５の床面には特に境界が設けられるものではないが、以下において、本実施形態においては説明の便宜上、平面視したときに、円弧部分７を含む円を円形領域８と呼び、円形領域８の外側に膨出した部分を膨出領域９と呼ぶ。なお、低床部５の周縁部６には円弧状に形成された部分が１箇所に限られないが、少なくとも１箇所を円弧部分７とした場合に、当該円弧部分７を外周に含む円形領域８の外側に膨出領域９を有していればよい。また、図１においては、説明の便宜上、各領域に異なるハッチングを付して表示しているが、各領域の床面にはこれらの模様が付されているものではない。
【００２９】
円形領域８には、例えば、図２に示すように、円形領域８と略同一の直径の円形テーブル１０を設置することで、円弧部分７に居住者などが腰掛けて、書き物などの作業や飲食をすることができる。また、床構造１が住宅展示施設に展示される住宅展示物である場合には、例えば、円形領域８に設置した円形テーブル１０でアンケートを記入するなどすることができる。
【００３０】
そして、低床部５には、膨出領域９が設けられているので、上述のように円形領域８で作業や飲食をしつつも、膨出領域９で例えば子供を遊ばせることができる。このように、一つの低床部５を同時に多用途で使用することができる。
【００３１】
また低床部５の周縁部６は、その一部に平面視したときに低床部５の内側に窪んだ形状に形成された部分を有している。すなわち、低床部５が内側に窪むことで、標準床部４が低床部５側に張り出して、居住者などが立ち止まることができる人たまり領域１１を形成している。なお、居室３における居住者が出入りするための出入り部１２が設けられた側に近接して人たまり領域１１が形成されている。ここで、出入り部１２は居室３と住宅の他の空間との境界であって、居住者などが出入りする部分である。例えば、居室３から廊下等の他の空間に通じる通過口、居室３から上階又は下階に通じる階段などである。
【００３２】
次に、上述の床構造１を有する居室３を配置した住宅構成要素の配置構造２について、図３から図５を参照しつつ、説明する。なお、図３は１階の間取り図であっって、図４は２階の間取り図であるが、図４において、１階の空間からつながる吹き抜け構造の部分については、説明の便宜上、１階の間取りが表わされている。また、図５は、住宅構成要素の配置構造２を説明する斜視図であるが、住宅内の構成であっても本発明の住宅構成要素の配置構造２に関係しない部分については図示を省略している。
【００３３】
住宅構成要素の配置構造２は、居室３の周りに設置される直線階段１３、対面式キッチン１４、見下ろし部１５を含んでいる。直線階段１３は、居室３から居室３の上階である２階に通じる階段であって、この直線階段１３を降りた部分に標準床部４が設けられているとともに、その先に低床部５が配置されている。そして、低床部５の直線階段１３を降りた部分に近接する位置が平面視したときに低床部５の内側に窪むとともに、標準床部４が低床部５側に膨らんだ人たまり領域１１として形成されている。このように、直線階段１３を降りた部分に近接して人たまり領域１１が形成されているので、直線階段１３から降りた居住者などが標準床部４を踏み外すおそれが少なく、比較的安全に配置されている。
【００３４】
なお、この住宅構成要素の配置構造２を住宅展示物として住宅展示施設に配置する場合には、人たまり領域１１が設けられることによって低床部５に滞留している見学者が邪魔になることなく、他の見学者が標準床部４を通行しやすくなる。
【００３５】
また、直線階段１３は、例えば、住宅構成要素の配置構造２を住宅展示物として住宅展示施設に配置する場合には、図６に示すように、例えば幅Ａが２５００ｍｍで、踏み面の奥行きＢが２７５ｍｍ、一段の高さＣが１９１ｍｍの大階段とすることができる。このように、直線階段１３を幅の広い大階段にすることによって、直線階段１３から居室３及び居室３に隣接する各住宅構成要素を見通しやすくなる。
【００３６】
なお、奥行きＥがこの直線階段１３の踏み面の奥行きと同じ２７５ｍｍで、高さＦが直線階段１３の１段の高さと同じ１９１ｍｍで、幅Ｄが６００ｍｍの例えばウレタン製のクッション１６をこの直線階段１３に配置してもよい。例えば直線階段１３の幅方向の両端に各段毎に交互にクッション１６を配置することで、直線階段１３の一部を、座面Ｇが５５０ｍｍで、高さＨが３８２ｍｍの椅子状にすることができ、例えば大人が座って、直線階段１３の下方に設けられている低床部５で遊んでいる子供を見守ることができる。このように直線階段１３の一部に幅Ｄが６００ｍｍのクッション１６を設けたとしても、直線階段１３の幅が２５００ｍｍあれば、昇降の邪魔になることもない。なお、直線階段１３の寸法はこれに限られるものでない。例えば幅が１０００ｍｍ程度の直線階段１３であってもよい。
【００３７】
対面式キッチン１４は、ワークトップ１７の一部が外壁１８側に設けられ、外壁１８側から延びる平面視「Ｊ」字状に形成されたシステムキッチンである。対面式キッチン１４は、居室３の低床部５の直線階段１３側と反対側に設けられており、ワークトップ１７の一部は直線階段１３側を向いている。なお、ここで、「ワークトップの一部が直線階段１３側に向いている」とは、対面式キッチン１４で居住者などが調理作業をする場合に調理作業をする居住者などの正面に直線階段１３が位置することをいう。なお、対面式キッチン１４は、例えば外壁１８側から独立したアイランドキッチンであってもよい。
【００３８】
このように対面式キッチン１４が配置されることにより、ワークトップ１７の一部が直線階段１３側に向いている対面式キッチン１４が設けられているので、キッチンで作業をしながらも低床部５を視認することができ、例えば低床部５にいる子供を見守りながら、料理をすることができる。
【００３９】
居室３はその上部に１階の天井及び２階の床が設けられていない吹き抜け空間が形成されている。そして、低床部５からみて直線階段１３及び対面式キッチン１４が設けられた部分とは異なる方向の２階には見下ろし部１５が設けられている。見下ろし部１５は、例えば１階部分にダイニング１９が設けられた部分の直上の２階であり、居室３の上部の吹き抜け空間と隣接して設けられている。見下ろし部１５の吹き抜け空間と隣接する部分には壁体２０が形成されている。壁体２０は例えば天井までつながる間仕切壁であってもよいし、上部が天井につながっていない手摺り壁であってもよい。壁体２０は少なくとも転落を防止できる程度の高さを有することが好ましい。
【００４０】
壁体２０には高さの異なる複数の貫通孔２１が設けられている。貫通孔２１は例えば円形にくり貫いたものであってもよいが、例えば家の形にくり貫いたもののように、意匠性の有る図形にくり貫かれていると居住者などを楽しませることができる。そして、このように設けられた貫通孔２１からは、居室３及び低床部５を視認することができる。上述の通り、貫通孔２１は複数のものが異なる高さに設けられているので、覗き込む貫通孔２１の高さに応じて、低床部５を含む居室３が異なる印象に見える。
【００４１】
以上のように低床部５の形状が角がなく、円弧を含みつつ一部が円の外側に膨出する比較的複雑な形状に形成されており、直線階段１３、見下ろし部１５、対面式キッチン１４等の異なる高さの住宅構成要素が居室３を視認可能に居室３の周囲に配置されているので、様々な高さや方角から居室３及び低床部５を視認することができ、変化を有する意匠性にすぐれた印象の居室３とすることができる。また、居室３及び低床部５を中心として、それぞれの住宅構成要素を視認可能とすることで、各住宅構成要素をつながりのある空間とすることができる。
【００４２】
なお、図２において示しているように、低床部５の円形領域８の中心にプランター２２に植えられた樹木２３を生やしておくことで、住宅構成要素の配置構造２が住宅展示物に備えられるものである場合には、この樹木２３の周りを見学者が見学することになり、また、住宅構成要素が住宅に備えられるものである場合には、居住者などが各住宅構成要素からこの樹木２３を見ることができるので、緑の豊かな住宅との印象を与えることができる。
【００４３】
なお、本発明の実施の形態は上述の形態に限ることなく、本発明の思想の範囲を逸脱しない範囲で適宜変更することができることは云うまでもない。
【産業上の利用可能性】
【００４４】
本発明に係る床構造１、住宅構成要素の配置構造２、住宅、及び住宅展示物は、例えばリビングの床構造及びこのリビングを含む住宅構成要素の配置構造、住宅、及び住宅展示物として好適に用いることができる。
【符号の説明】
【００４５】
１      床構造
２      住宅構成要素の配置構造
３      居室
４      標準床部
５      低床部
６      周縁部
１２    出入り部
１３    直線階段
１４    対面式キッチン
１５    見下ろし部
１７    ワークトップ
２０    壁体
２１    貫通孔
【図１】
2014062420.tif 000003
【図２】
2014062420.tif 000004
【図３】
2014062420.tif 000005
【図４】
2014062420.tif 000006
【図５】
2014062420.tif 000007
【図６】
2014062420.tif 000008